(57)【特許請求の範囲】
【請求項１】
複数の映像表示装置（１ａ〜１ｒ）と、
複数の前記映像表示装置（１ａ〜１ｒ）を支持する支持構造体（２）と、
前記支持構造体（２）に設けられ、かつ、各前記映像表示装置（１ａ〜１ｒ）の位置を調整可能な位置調整機構（５０）と、
複数の前記映像表示装置（１ａ〜１ｒ）と前記支持構造体（２）との間に設けられ、かつ、各前記映像表示装置（１ａ〜１ｒ）と前記支持構造体（２）とを固定するための位置である収納位置と、前記収納位置よりも前方の位置である引き出し位置との間で各前記映像表示装置（１ａ〜１ｒ）を移動可能な引出機構（５１）と、
を備え、
前記位置調整機構（５０）は、各前記映像表示装置（１ａ〜１ｒ）と前記支持構造体（２）とを固定するロック状態と、各前記映像表示装置（１ａ〜１ｒ）と前記支持構造体（２）との固定を解除するロック解除状態とに切り替えるロック機構（５４，５４Ａ）を有し、
前記ロック機構（５４，５４Ａ）が前記ロック状態であるとき、各前記映像表示装置（１ａ〜１ｒ）が前記収納位置に固定され、前記ロック機構（５４，５４Ａ）が前記ロック解除状態であるとき、前記引出機構（５１）により各前記映像表示装置（１ａ〜１ｒ）が弾性支持部（１６）を介して浮動支持された状態で前記収納位置と前記引き出し位置との間で移動可能となり、
前記位置調整機構（５０）は、各前記映像表示装置（１ａ〜１ｒ）の左右方向および上下方向の位置調整を担う目地調整機構（１３，１４）と、各前記映像表示装置（１ａ〜１ｒ）の前後方向の位置調整を担う段差調整機構（５３）とをさらに有し、
前記段差調整機構（５３）は、各前記映像表示装置（１ａ〜１ｒ）の背面側に、段差調整部材（２１）と、前記段差調整部材（２１）内に設けられた磁石（１９）と、前記段差調整部材（２１）の中心軸上に背面から後方に突出している位置決めピン（２２）とを有し、
前記目地調整機構（１３，１４）は、前記支持構造体（２）に固定された筐体（８ａ，９ａ）と、前記筐体（８ａ，９ａ）の前部に設けられかつ穴部（１１ａ，１２ａ）に前記位置決めピン（２２）が挿入された状態で前記位置決めピン（２２）を前後方向に移動可能に支持する円筒部（１１，１２）とを有し、
前記目地調整機構（１３，１４）における前記段差調整部材（２１）と当接する部分は、磁性材料または磁石を用いて構成され、
各前記映像表示装置（１ａ〜１ｒ）が前記収納位置に位置する状態であるとき、前記円筒部（１１，１２）に前記位置決めピン（２２）が挿入され、前記段差調整部材（２１）と前記支持構造体（２）に設けられた前記目地調整機構（１３，１４）とが磁力により吸着する、マルチディスプレイシステム（１００）。
【請求項２】
前記引出機構（５１）は、前記支持構造体（２）に固定されたガイド部（１５）と、前記ガイド部（１５）に沿って移動可能な可動部（１７）と、前記弾性支持部（１６）とを有し、
前記支持構造体（２）に被係止部（２７）が設けられ、
前記ロック機構（５４，５４Ａ）は、前記被係止部（２７）と係止可能な係止部（２４，３７）を有し、
各前記映像表示装置（１ａ〜１ｒ）が前記引き出し位置に位置する状態で、前記可動部（１７）は前記弾性支持部（１６）を介して各前記映像表示装置（１ａ〜１ｒ）を浮動支持し、
各前記映像表示装置（１ａ〜１ｒ）が前記収納位置に位置する状態で、前記円筒部（１１，１２）は前記位置決めピン（２２）が挿入されることで各前記映像表示装置（１ａ〜１ｒ）の左右方向および上下方向における浮動状態を規制しながら支持し、前記ロック機構（５４，５４Ａ）は、前記係止部（２４，３７）が前記被係止部（２７）に係止することで各前記映像表示装置（１ａ〜１ｒ）の前後方向への移動を規制する、請求項１記載のマルチディスプレイシステム（１００）。
【請求項３】
前記マルチディスプレイシステム（１００）は、マグネット治具（３０１）をさらに備え、
前記係止部（２４）は、回動軸（３３）を中心に回動可能な上下一対の係止板金（２４）であり、
前記被係止部（２７）は、上下一対の被係止部（２７）であり、
前記ロック機構（５４）は、一対の前記係止板金（２４）に一端がそれぞれ連結された一対の連結部材（２５）と、一対の前記連結部材（２５）の他端が連結されかつ回転軸（３４）を中心に回転可能な回転板金（２６）をさらに有し、
一対の前記係止板金（２４）は、一対の前記被係止部（２７）とそれぞれ係止する方向に付勢され、かつ、前記マグネット治具（３０１）の磁力により一対の前記被係止部（２７）とそれぞれ係止する方向とは反対方向に回動するように構成され、
前記マグネット治具（３０１）が各前記映像表示装置（１ａ〜１ｒ）の映像表示面から離間する位置に配置され、かつ、各前記映像表示装置（１ａ〜１ｒ）が前記収納位置に位置する状態で、一対の前記係止板金（２４）が一対の前記被係止部（２７）とそれぞれ係止することで、各前記映像表示装置（１ａ〜１ｒ）と前記支持構造体（２）は固定され、
前記マグネット治具（３０１）が各前記映像表示装置（１ａ〜１ｒ）の前記映像表示面に近接する位置に配置され、かつ、前記マグネット治具（３０１）の磁力により前記回転板金（２６）を一の方向に回転させることで、一対の前記連結部材（２５）を介して一対の前記係止板金（２４）が一対の前記被係止部（２６）とそれぞれ係止する方向とは反対方向に回動し、各前記映像表示装置（１ａ〜１ｒ）と前記支持構造体（２）との固定が解除される、請求項２記載のマルチディスプレイシステム（１００）。
【請求項４】
前記ロック機構（５４）は、引付用ばね（３５）および押付用ばね（３６）をさらに有し、
一対の前記係止板金（２４）は、前記引付用ばね（３５）と前記押付用ばね（３６）とともに各前記映像表示装置（１ａ〜１ｒ）の背面に固定され、
前記引付用ばね（３５）は、一対の前記係止板金（２４）を一対の前記被係止部（２７）とそれぞれ係止する方向に引き付けるばね力を有し、
前記押付用ばね（３６）は、一対の前記係止板金（２４）が一対の前記被係止部（２７）とそれぞれ係止した状態で各前記映像表示装置（１ａ〜１ｒ）を前方に押し付けるばね力を有する、請求項３記載のマルチディスプレイシステム（１００）。
【請求項５】
前記マルチディスプレイシステム（１００）は、マグネット治具（３０１）をさらに備え、
前記係止部（３７）は、上下方向にスライド可能な上下一対の係止板金（３７）であり、
前記被係止部（２７）は、上下一対の被係止部（２７）であり、
前記ロック機構（５４Ａ）は、一対の前記係止板金（３７）に一端がそれぞれ連結された一対の連結部材（３８）と、一対の前記連結部材（３８）の他端が連結されかつ回転軸を中心に回転可能な回転板金（３９）をさらに有し、
前記マグネット治具（３０１）が各前記映像表示装置（１ａ〜１ｒ）の映像表示面から離間する位置に配置され、かつ、各前記映像表示装置（１ａ〜１ｒ）が前記収納位置に位置する状態で、一対の前記係止板金（３７）が一対の前記被係止部（２７）とそれぞれ係止することで、各前記映像表示装置（１ａ〜１ｒ）と前記支持構造体（２）は固定され、
前記マグネット治具（３０１）が各前記映像表示装置（１ａ〜１ｒ）の前記映像表示面に近接する位置に配置され、かつ、前記マグネット治具（３０１）の磁力により前記回転板金（３９）を一の方向に回転させることで、一対の前記連結部材（３８）を介して一対の前記係止板金（３７）が一対の前記被係止部（２７）とそれぞれ係止する方向とは反対方向にスライドし、各前記映像表示装置（１ａ〜１ｒ）と前記支持構造体（２）との固定が解除される、請求項２記載のマルチディスプレイシステム（１００）。
【請求項６】
前記ロック機構（５４Ａ）は、前記回転軸に巻き付けられた巻付用ばねをさらに有し、
前記巻付用ばねは、前記回転板金（３９）を、一対の前記係止板金（３７）が一対の前記被係止部（２７）とそれぞれ係止する方向にばね力を有し、
前記引出機構（５１）が収納位置に位置する状態で、前記巻付用ばねは、一対の前記係止板金（３７）が一対の前記被係止部（２７）とそれぞれ係止する方向に一対の前記係止板金（３７）をスライドさせる、請求項５記載のマルチディスプレイシステム（１００）。
【請求項７】
請求項１から請求項６のいずれか１項に記載のマルチディスプレイシステム（１００）が備える映像表示装置（１ａ〜１ｒ）。
【請求項８】
請求項１から請求項６のいずれか１項に記載のマルチディスプレイシステム（１００）が備える引出機構（５１）。
【発明の詳細な説明】
【技術分野】
【０００１】
本発明は、複数の映像表示装置を上下方向および左右方向に並べて大画面の映像情報を表示するマルチディスプレイシステム、映像表示装置および引出機構に関するものである。
【背景技術】
【０００２】
ＬＥＤなどの表示素子を複数用いて構成される表示タイルは、表示素子の技術発展と低コスト化のおかげで、屋外および屋内の広告表示等に多く使用されている。表示タイルを備える表示装置は、これまで自然画およびアニメーションの動画像の表示等に用いられることが主流であった。しかし、屋内用途として、画素ピッチの狭ピッチ化に伴い視認距離が短くなることから、表示タイルを備える表示装置は、会議室および監視用途などのパソコンの画像表示用にも近年使用されるようになってきた。特に、監視用途においては、静止画に近いパソコン画像を表示することが多くなっている。【０００３】
また、表示タイルを備える表示装置としては、セラミックまたは樹脂などで成型されたキャビティの内部にＬＥＤ表示素子を実装し、これを封止樹脂で固めることで形成された小さなＬＥＤ表示モジュールを基板に実装したＳＭＤ（Ｓｕｒｆaｃｅ Ｍｏｕｎｔ Ｄｅｖｉｃｅ：表面実装部品）型が主流である。ＳＭＤ型の表示装置は、これまで画素ピッチが３ｍｍ以上の大型映像表示装置として使用されてきた。【０００４】
しかし、近年では、ＬＥＤ表示素子の低コスト化と高精細化を背景に、画素ピッチが１〜２ｍｍ等の高密度実装品にて構成されたＬＥＤ表示装置をタイル状に複数並べて構成した大型映像表示装置が市場に導入されている。【０００５】
例えば特許文献１および特許文献２には、ＬＥＤ表示装置の構成要素とその保持方法が開示されている。【０００６】
特許文献１では、大型映像表示装置は、複数のＬＥＤ表示タイルから構成されたマルチディスプレイシステムにより構成されている。小さなＬＥＤ表示モジュール基板上に、Ｒ，Ｇ，ＢのＬＥＤ表示素子がモジュール基板の周縁部の近傍まで実装されている。複数のＬＥＤ表示モジュール基板が正方配列状に配置されて第１のＬＥＤ表示タイルを形成するために、複数のＬＥＤ表示モジュール基板がサポート構造に組み立てられている。第２のＬＥＤ表示タイルも、第１のＬＥＤ表示タイルと同様にサポート構造に組み立てられている。第１のＬＥＤ表示タイルと第２のＬＥＤ表示タイルは、非常に小さな隙間を維持して互いにほぼ密着した状態でサポート構造に組み立てられている。この非常に小さな隙間に対して、画素ピッチと同じ寸法が要求されている。【０００７】
また、特許文献１および特許文献２には、ＬＥＤ表示タイルの側面の形状は平面形状に加工されている。これらのＬＥＤ表示タイルを複数組み合わせて、マルチディスプレイシステムによる大画面映像表示装置を構成する場合、各ＬＥＤ表示タイルの側面がほぼ密着するように連結される。【０００８】
また、特許文献３には、フック型の連結部材を用いてＬＥＤ表示タイル同士を連結する構造が開示されている。
【先行技術文献】
【特許文献】
【０００９】
【特許文献１】米国特許第８３８４６１６号明細書
【特許文献２】中国特許第１０１９３７６３０号明細書
【特許文献３】中国特許第２０３６４４３３３号明細書
【発明の概要】
【発明が解決しようとする課題】
【００１０】
ＬＥＤ表示タイルと隣接する他のＬＥＤ表示タイルとの上下方向および左右方向の隙間、およびＬＥＤ表示面の前後方向の段差を画素ピッチと同じ寸法に抑えて、これらの隙間および段差が目立たないようにすることが必要となる。また、映像表示装置の背面側に作業するための十分な空間がないため、映像表示面側からこれらの隙間および段差が目立たないように映像表示装置の位置を調整することも必要となる。【００１１】
特許文献１では、各ＬＥＤ表示タイルはその配列が損なわれることがないように取付け構造体により支持されている。この取付け構造体は、ＬＥＤ表示タイルと、上下方向および左右方向に隣接するＬＥＤ表示タイルとの隙間が画素ピッチと同じ寸法になるように配置されている。しかし、ＬＥＤ表示タイルの側面は平面に形成されているため、ＬＥＤ表示タイルを保持するサポート構造の寸法公差または平面度等の機械的な精度に起因して、ＬＥＤ表示タイルと隣接する他のＬＥＤ表示タイルとの隙間がばらつくという問題があった。【００１２】
また、特許文献２では、ＬＥＤ表示モジュール基板がＬＥＤベース部品に取り付けられ、ＬＥＤベース部品の背面に筐体フレーム部品とジョイント部品が取り付けられている。そして、これらの部材から構成されたＬＥＤ表示タイルは、ほぼ平面形状の側面を有している。特許文献２においても、特許文献１の場合と同様に、ＬＥＤ表示タイルを上下方向および左右方向に複数配置した場合、ＬＥＤ表示タイルと隣接する他のＬＥＤ表示タイルとの隙間がばらつくという問題があった。【００１３】
また、特許文献３では、フック型の連結部材を用いてＬＥＤ表示タイル同士を連結しているため、ＬＥＤ表示タイル同士の左右方向の連結に際して高精度な位置合わせが必要である。そのため、ＬＥＤ表示タイルの位置合わせに相当な時間を要するという問題があった。【００１４】
このように特許文献１〜３に記載の構造では、ＬＥＤ表示タイルを構成する金属筐体の構造部品の加工寸法のバラツキ、またはＬＥＤ表示モジュール基板のソリ等によって、ＬＥＤ表示タイルと隣接する他のＬＥＤ表示タイルとの隙間およびＬＥＤ表示面の前後方向の段差が発生するという問題があった。このような隙間および段差は、輝度の変化または指向性の変化などにより、連結部、すなわち、ＬＥＤ表示タイルと隣接する他のＬＥＤ表示タイルとの間の目地として認識され、映像の品位が劣化する要因となっていた。【００１５】
そこで、本発明は、映像表示装置の背面側に作業空間がない場合でも、映像表示装置と隣接する他の映像表示装置との間の目地を目立たなくするための調整を映像表示面側から行うことが可能な技術を提供することを目的とする。
【課題を解決するための手段】
【００１６】
本発明に係るマルチディスプレイシステムは、複数の映像表示装置と、複数の前記映像表示装置を支持する支持構造体と、前記支持構造体に設けられ、かつ、各前記映像表示装置の位置を調整可能な位置調整機構と、複数の前記映像表示装置と前記支持構造体との間に設けられ、かつ、各前記映像表示装置と前記支持構造体とを固定するための位置である収納位置と、前記収納位置よりも前方の位置である引き出し位置との間で各前記映像表示装置を移動可能な引出機構とを備え、前記位置調整機構は、各前記映像表示装置と前記支持構造体とを固定するロック状態と、各前記映像表示装置と前記支持構造体との固定を解除するロック解除状態とに切り替えるロック機構を有し、前記ロック機構が前記ロック状態であるとき、各前記映像表示装置が前記収納位置に固定され、前記ロック機構が前記ロック解除状態であるとき、前記引出機構により各前記映像表示装置が弾性支持部を介して浮動支持された状態で前記収納位置と前記引き出し位置との間で移動可能となり、前記位置調整機構は、各前記映像表示装置の左右方向および上下方向の位置調整を担う目地調整機構と、各前記映像表示装置の前後方向の位置調整を担う段差調整機構とをさらに有し、前記段差調整機構は、各前記映像表示装置の背面側に、段差調整部材と、前記段差調整部材内に設けられた磁石と、前記段差調整部材の中心軸上に背面から後方に突出している位置決めピンとを有し、前記目地調整機構は、前記支持構造体に固定された筐体と、前記筐体の前部に設けられかつ穴部に前記位置決めピンが挿入された状態で前記位置決めピンを前後方向に移動可能に支持する円筒部とを有し、前記目地調整機構における前記段差調整部材と当接する部分は、磁性材料または磁石を用いて構成され、各前記映像表示装置が前記収納位置に位置する状態であるとき、前記円筒部に前記位置決めピンが挿入され、前記段差調整部材と前記支持構造体に設けられた前記目地調整機構とが磁力により吸着するものである。
【発明の効果】
【００１７】
本発明によれば、ロック機構がロック状態であるとき、各映像表示装置が収納位置に固定され、ロック機構がロック解除状態であるとき、引出機構により各映像表示装置が弾性支持部を介して浮動支持された状態で収納位置と引き出し位置との間で移動可能となる。【００１８】
したがって、使用者は、各映像表示装置が固定位置に位置する状態だけでなく、引出機構により各映像表示装置を引き出し位置に移動させた状態で位置調整機構にアクセスすることができるため、各映像表示装置の映像表示面側および背面側のどちらからでも位置調整機構にアクセスすることができる。これにより、映像表示装置の背面側に作業空間がない場合でも、映像表示装置と隣接する他の映像表示装置との間の目地を目立たなくするための調整を映像表示面側から行うことができる。【００１９】
この発明の目的、特徴、局面、および利点は、以下の詳細な説明と添付図面とによって、より明白となる。
【図面の簡単な説明】
【００２０】
【図１】実施の形態に係るマルチディスプレイシステムの斜視図である。
【図２】ＬＥＤ表示タイルの斜視図である。
【図３】ＬＥＤ表示タイルおよび支持構造体の分解斜視図である。
【図４】ＬＥＤ表示タイルの背面斜視図である。
【図５】段差調整機構の斜視図である。
【図６】コーナージョイントおよび段差調整部材の斜視図である。
【図７】コーナージョイントおよび段差調整部材の斜視図である。
【図８】段差調整方法を説明するための説明図である。
【図９】ＬＥＤ表示タイルと支持構造体との固定を示す断面図である。
【図１０】ＬＥＤ表示タイルと支持構造体との固定が解除された状態を示す断面図である。
【図１１】実施の形態の変形例に係るＬＥＤ表示タイルの背面斜視図である。
【発明を実施するための形態】
【００２１】
＜実施の形態＞
本発明の実施の形態について、図面を用いて以下に説明する。図１は、実施の形態に係るマルチディスプレイシステム１００の斜視図である。図２は、ＬＥＤ表示タイル１ｆの斜視図である。図３は、ＬＥＤ表示タイル１ｆおよび支持構造体２の分解斜視図である。
【００２２】
図１に示すように、マルチディスプレイシステム１００は、複数のＬＥＤ表示タイル１ａ〜１ｒ、支持構造体２、および架台３を備えている。なお、ＬＥＤ表示タイル１ａ〜１ｒが映像表示装置に相当する。
【００２３】
また、マルチディスプレイシステム１００はさらに、位置調整機構５０（図６と図７参照）、引出機構５１（図３参照）、マグネット治具３０１（図９と図１０参照）を備えている。これらの詳細については後述する。
【００２４】
マルチディスプレイシステム１００は、架台３に、例えば１８台のＬＥＤ表示タイル１ａ〜１ｒを上下方向および左右方向に配置して構成されている。より具体的には、ＬＥＤ表示タイル１ａ〜１ｒは、上下方向に３台、左右方向に６台配置されている。１８台のＬＥＤ表示タイル１ａ〜１ｒは同じ構成であるため、ここではＬＥＤ表示タイル１ｆについて説明する。
【００２５】
図２に示すように、ＬＥＤ表示タイル１ｆは、４枚のＬＥＤモジュール基板４、およびＬＥＤベース５を備えている。４枚のＬＥＤモジュール基板４は、上下方向に２枚、左右方向に２枚配置されている。４枚のＬＥＤモジュール基板４の各々には、表示素子としてのＬＥＤが正方配列状に複数配列されている。ＬＥＤベース５は、４枚のＬＥＤモジュール基板４の背面に固定されている。ＬＥＤベース５は、非磁性材料であるアルミニウムまたはマグネシウム合金を用いて構成されている。４枚のＬＥＤモジュール基板４は、ＬＥＤベース５に対して精度よく位置調整され、ＬＥＤモジュール基板４と隣接する他のＬＥＤモジュール基板４との間の目地が目立たないように配置され固定されている。
【００２６】
図２と図３に示すように、支持構造体２は、ＬＥＤ表示タイル１ｆの背面、より具体的には、ＬＥＤベース５の背面にコーナージョイント６，７，８，９を介して連結され、ＬＥＤ表示タイル１ｆの背面を支持する。支持構造体２は、非磁性材料であるアルミニウムを用いて構成されている。支持構造体２は、矩形枠形状の２つの背面フレーム１０２，１０３を前後に組み付けて構成されている。背面フレーム１０２および背面フレーム１０３は、前後方向に延びる複数のフレーム１０２ｃにより固定されている。フレーム１０２ｃは、ＬＥＤ表示タイル１ｆの４つの角部に対応する位置に配置されている。なお、前後方向とは図１の「Ｚ軸方向」である。
【００２７】
次に、背面フレーム１０２について説明する。図３に示すように、背面フレーム１０２は、前側のフレームであり、左右方向に延びるフレーム１０２ａ、および上下方向に延びるフレーム１０２ｂを備えている。なお、左右方向とは図１の「Ｘ軸方向」であり、上下方向とは図１の「Ｙ軸方向」である。
【００２８】
次に、背面フレーム１０３について説明する。背面フレーム１０３は、後側のフレームであり、左右方向に延びるフレーム１０３ａ、および上下方向に延びるフレーム１０３ｂを備えている。
【００２９】
また、ＬＥＤ表示タイル１ａ〜１ｒの背面を構成するＬＥＤベース５の内部には、ＬＥＤ表示駆動回路および電源などが収容されているが、これらは従来の構成と同様であるためその詳細については説明を省略する。
【００３０】
図３に示すように、コーナージョイント６，７，８，９が背面フレーム１０２および背面フレーム１０３を連結するフレーム１０２ｅに固定ネジ１０（図６参照）により固定されることで、支持構造体２を構成するフレーム同士は強固に連結されている。フレーム１０２ａ，１０２ｂ，１０２ｃ，２０２ａ，２０２ｂは、断面形状が同一で長さが異なる押出フレームである。支持構造体２は、複数の押出フレームを組み合わせることで安価に構成することが可能である。
【００３１】
コーナージョイント６，７，８，９は、支持構造体２におけるＬＥＤ表示タイル１ｆの４つの角部に対応する位置に配置されている。より具体的には、コーナージョイント６は、支持構造体２におけるＬＥＤ表示タイル１ｆの左上の角部に対応する位置に配置されている。コーナージョイント７は、支持構造体２におけるＬＥＤ表示タイル１ｆの右上の角部に対応する位置に配置されている。コーナージョイント８は、支持構造体２におけるＬＥＤ表示タイル１ｆの左下の角部に対応する位置に配置されている。コーナージョイント９は、支持構造体２におけるＬＥＤ表示タイル１ｆの右下の角部に対応する位置に配置されている。
【００３２】
本実施の形態では、コーナージョイント８に、円筒部１１と、位置調整機構５０の一部である目地調整機構１３が設けられ、コーナージョイント９に、長円筒部１２と、位置調整機構５０の一部である目地調整機構１４が設けられている。コーナージョイント６，７，８，９は、フレーム連結の役割と、支持構造体２の強度メンバーとしての役割と、ＬＥＤ表示タイル１ｆの上下方向および左右方向の位置調整機能とを兼ね備えており、部品点数の削減、および製造コストの削減が図られている。なお、本実施の形態では、コーナージョイント８，９に目地調整機構１３，１４がそれぞれ設けられているが、コーナージョイント８，９に代えてコーナージョイント６，７に目地調整機構がそれぞれ設けられていてもよい。
【００３３】
次に、引出機構５１について説明する。図３に示すように、引出機構５１は、支持構造体２の左右に設けられ、ガイド部１５、弾性支持部１６、および可動部１７を備えている。ガイド部１５は、前後方向に延び、支持構造体２におけるコーナージョイント６，７の下側に固定されている。左右のガイド部１５は連結部１８により連結されている。可動部１７は、前端部に折り曲げ部を有し、側面視にてＬ字形状に形成されている。また、可動部１７は、磁性材料の鋼板を用いて構成されている。可動部１７の前端部に、上方に突出する弾性支持部１６が設けられている。
【００３４】
可動部１７の水平部は、ガイド部１５の長手方向に沿って設けられたレールに取り付けられているため、可動部１７は、ガイド部１５のレールに沿って前後方向に移動可能である。これにより、引出機構５１は、ＬＥＤ表示タイル１ｆと支持構造体２とを固定するための位置である収納位置と、収納位置よりも前方の位置である引き出し位置との間で弾性支持部１６を介して浮動支持された状態でＬＥＤ表示タイル１ｆを移動可能としている。
【００３５】
次に、ＬＥＤ表示タイル１ａ〜１ｒの背面構造について説明する。図４は、ＬＥＤ表示タイル１ａの背面斜視図である。図５は、段差調整機構５３の斜視図である。１８台のＬＥＤ表示タイル１ａ〜１ｒは同じ構成であるため、ここではＬＥＤ表示タイル１ａについて説明する。
【００３６】
図４に示すように、ＬＥＤベース５の背面の左下と右下の２つの角部に、２つの段差調整機構５３がそれぞれ設けられている。段差調整機構５３は、位置調整機構５０の一部である。ここで、位置調整機構５０について簡単に説明する。
【００３７】
位置調整機構５０は、各ＬＥＤ表示タイル１ａ〜１ｒの位置を調整可能であり、目地調整機構１３，１４、段差調整機構５３、およびロック機構５４を備えている。目地調整機構１３，１４は、各ＬＥＤ表示タイル１ａ〜１ｒの左右方向および上下方向の位置調整を担っている。段差調整機構５３は、各ＬＥＤ表示タイル１ａ〜１ｒの前後方向の位置調整を担っている。ロック機構５４は、各ＬＥＤ表示タイル１ａ〜１ｒと支持構造体２とを固定するロック状態と、各ＬＥＤ表示タイル１ａ〜１ｒと支持構造体２との固定を解除するロック解除状態とに切り替える。
【００３８】
図４と図５に示すように、段差調整機構５３は、段差調整部材２１、磁石１９、および位置決めピン２２を備えている。段差調整部材２１は円板形状であり、段差調整部材２１の外周部に操作部２０が設けられている。操作部２０は、使用者が指でつまんで段差調整部材２１を回転させるために設けられている。段差調整部材２１の前面に、前方に突出する雄ネジ２０ａが設けられている。段差調整部材２１の背面に位置決めピン２２が設けられ、位置決めピン２２は段差調整部材２１の中心軸上に背面から後方に突出している。また、位置決めピン２２の先端部は円錐形状である。
【００３９】
ＬＥＤベース５の背面の４つの角部に４つのネジ穴（図示省略）がそれぞれ設けられ、２つの段差調整部材２１はＬＥＤベース５の背面の左下および右下の２つの角部のネジ穴にそれぞれ取り付けられている。２つの段差調整部材２１の内部には磁石１９が内蔵されている。
【００４０】
ＬＥＤベース５の背面の左上および右上の２つの角部のネジ穴には、位置決めピン２２のない２つの段差調整部材２１がそれぞれ取り付けられている。なお、図４においては、ＬＥＤベース５の背面の左下および右下の２つの角部に取り付けられる段差調整部材２１にのみ位置決めピン２２が設けられているが、ＬＥＤベース５の背面の左上および右上の２つの角部に取り付けられる段差調整部材２１にも位置決めピン２２が設けられていてもよい。
【００４１】
また、左上および右上の段差調整部材２１の下側に、ＬＥＤ表示タイル１ａを引出機構５１の弾性支持部１６に引っ掛けるための引掛板金２３がそれぞれ設けられている。
【００４２】
また、左上および右上の段差調整部材２１の下側、かつ、左下および右下の段差調整部材２１の上側に、左右一対のロック機構５４が設けられている。左右一対のロック機構５４は同じ構成であるため、ここでは右側のロック機構５４について説明する。
【００４３】
ロック機構５４は、係止部としての上下一対の係止板金２４、一対の連結部材としての一対の連結ワイヤ２５、および回転板金２６を備えている。一対の係止板金２４は、引掛板金２３の下側、および右下の段差調整部材２１の上側にそれぞれ設けられている。
【００４４】
一対の係止板金２４は、一対の被係止部としての受け金具２７（図３参照）と係止可能である。一対の係止板金２４は、受け金具２７と係止可能な溝３０と、受け金具２７の先端部と当接し溝３０に案内する斜面部２４ａとを備えている。
【００４５】
回転板金２６は、一対の係止板金２４の間に設けられている。一対の連結ワイヤ２５は、一対の係止板金２４に一端がそれぞれ連結されている。回転板金２６は、一対の連結ワイヤ２５の他端が連結されかつ回転軸３４を中心に回転可能である。
【００４６】
引出機構５１の収納動作時に、支持構造体２のコーナージョイント６，７，８，９に設けられた受け金具２７の先端が係止板金２４の斜面部２４ａに当接し斜面部２４ａに沿って移動する。そのため、後述する引付用ばね３５（図９参照）のばね力に反して係止板金２４が押し込まれて回動し、受け金具２７の先端部が溝部３０に嵌ったとき、係止板金２４と受け金具２７がばね力により係止されて、ロック機構５４がロック状態となる。
【００４７】
ロック機構５４がロック状態であるとき、各ＬＥＤ表示タイル１ａ〜１ｒが収納位置に固定される。他方、係止板金２４と受け金具２７の係止が解除されて、ロック機構５４がロック解除状態であるとき、引出機構５１により各ＬＥＤ表示タイル１ａ〜１ｒが収納位置と引き出し位置との間で移動可能となる。
【００４８】
次に、ＬＥＤ表示タイル１ａ〜１ｒの左右方向および上下方向の位置調整を担う目地調整機構１３，１４について説明する。図６は、コーナージョイント８および段差調整部材２１の斜視図である。図７は、コーナージョイント９および段差調整部材２１の斜視図である。
【００４９】
図６と図７に示すように、目地調整機構１３は、コーナージョイント８に設けられ、筐体８ａ、円筒部１１、上下位置調整機構２８、および左右位置調整機構２９を備えている。目地調整機構１４は、コーナージョイント９に設けられ、筐体９ａ、長円筒部１２、および上下位置調整機構２８を備えている。なお、図６と図７では、目地調整機構１３および目地調整機構１４は互いに異なる構成であるが、目地調整機構１４も上下位置調整機構２８および左右位置調整機構２９を備えることが可能である。その目地調整方法は下記に説明する方法と同様の方法であるため、説明を省略する。
【００５０】
最初に目地調整機構１３を説明する。図３と図６に示すように、筐体８ａは支持構造体２に固定されている。図６に示すように、上下位置調整機構２８は、コ字形状の上下移動板金３１ａ、および上下位置調整部材３１を備えている。上下移動板金３１ａは、筐体８ａ内の前部に設けられ、コ字形状の両端部が下方を向いた状態で前後に並ぶように配置されている。
【００５１】
円筒部１１は、筐体８ａ内の前部に設けられている。より具体的には、円筒部１１は、穴部１１ａを前後に向けた状態で上下移動板金３１ａに固定されている。円筒部１１は、穴部１１ａに位置決めピン２２が挿入された状態で位置決めピン２２を前後方向に移動可能に支持する。
【００５２】
左右位置調整機構２９は、筐体８ａ内の前部に設けられ、コ字形状の左右移動板金３２ａ、および左右位置調整部材３２を備えている。左右移動板金３２ａは、コ字形状の両端部が前方を向いた状態で配置されている。
【００５３】
上下移動板金３１ａおよび左右移動板金３２ａは、両者が組み合わされた状態でネジ等により連結されている。筐体８ａの上面に、左右方向に延びる貫通状の長穴８ｂが設けられ、上下移動板金３１ａの上面に、ネジ穴（図示省略）が設けられている。上下位置調整部材３１は、回動軸と、回動軸の先端部に設けられた雄ネジを有し、長穴８ｂを介して上下移動板金３１ａの上面のネジ穴に螺合されている。これにより、上下移動板金３１ａは筐体８ａに対して上下方向に移動可能に筐体８ａに支持されている。
【００５４】
筐体８ａの右側面に、上下方向に延びる貫通状の長穴８ｃが設けられ、左右移動板金３２ａの右側面に、ネジ穴（図示省略）が設けられている。左右位置調整部材３２は、回動軸の先端部に設けられた雄ネジを有し、長穴８ｃを介して左右移動板金３２ａの右側面のネジ穴に螺合されている。これにより、左右移動板金３２ａは筐体８ａに対して左右方向にスライド可能に筐体８ａに支持されている。
【００５５】
次に、目地調整機構１３の動作について説明する。目地調整機構１３の上下位置調整機構２８の上下位置調整部材３１を回転させると、筐体８ａの上面を基準に上下移動板金３１ａおよび左右移動板金３２ａが上下方向に移動する。これにより、上下移動板金３１ａに螺合されている円筒部１１が上下方向に移動することで、円筒部１１に挿入されている位置決めピン２２の上下位置が調整される。
【００５６】
目地調整機構１３の左右位置調整機構２９の左右位置調整部材３２を回転させると、コーナージョイント８の筐体８ａの右側面を基準に上下移動板金３１ａおよび左右移動板金３２ａが左右方向に移動する。これにより、上下移動板金３１ａに螺合されている円筒部１１が左右方向に移動することで、円筒部１１に挿入されている位置決めピン２２の左右位置が調整される。
【００５７】
次に、目地調整機構１４を説明する。図３と図７に示すように、筐体９ａは支持構造体２に固定されている。図７に示すように、上下移動板金３１ａは、筐体９ａ内の前部に設けられ、コ字形状の両端部が下方を向いた状態で前後に並ぶように配置されている。
【００５８】
長円筒部１２は、筐体９ａ内の前部に設けられている。より具体的には、長円筒部１２は、左右方向に延びる長穴である穴部１２ａを前後に向けた状態で上下移動板金３１ａに固定されている。筐体９ａの上面に、左右方向に延びる貫通状の長穴９ｂが設けられ、上下移動板金３１ａの上面に、ネジ穴（図示省略）が設けられている。長円筒部１２は、穴部１２ａに位置決めピン２２が挿入された状態で位置決めピン２２を前後方向に移動可能に支持する。
【００５９】
上下位置調整部材３１は、長穴９ｂを介して上下移動板金３１ａの上面のネジ穴に螺合されている。これにより、上下移動板金３１ａは筐体９ａに対して上下方向に移動可能に筐体９ａに支持されている。
【００６０】
次に、目地調整機構１４の動作について説明する。目地調整機構１４の上下位置調整機構２８の上下位置調整部材３１を回転させると、筐体９ａの上面を基準に上下移動板金３１ａが上下方向に移動する。これにより、上下移動板金３１ａに螺合されている長円筒部１２が上下方向に移動することで、長円筒部１２に挿入されている位置決めピン２２の上下位置が調整される。
【００６１】
また、長円筒部１２の穴部１２ａは左右方向に延びる長穴であるため、目地調整機構１３の円筒部１１に挿入されている位置決めピン２２の左右方向への移動に連動して長円筒部１２に挿入されている位置決めピン２２も左右方向へ移動する。すなわち、目地調整機構１３の円筒部１１に挿入されている位置決めピン２２の左右位置の調整に連動して、目地調整機構１４の長円筒部１２に挿入されている位置決めピン２２の左右位置の調整もなされる。
【００６２】
次に、図３を用いて、ＬＥＤ表示タイル１ａ〜１ｒの支持構造体２への固定方法について説明する。ここでは、ＬＥＤ表示タイル１ｆの支持構造体２への固定方法について説明する。
【００６３】
図３に示すように、まず、使用者は、支持構造体２に配置された引出機構５１の左右一対の可動部１７を引き出し位置に移動させた状態で、ＬＥＤベース５の背面に配置された左右一対の引掛板金２３を視認または手で確認しながら左右一対の弾性支持部１６に掛けて取り付ける。ここで、ＬＥＤ表示タイル１ｆが引き出し位置に位置する状態で、可動部１７は弾性支持部１６を介してＬＥＤ表示タイル１ｆを支持している。
【００６４】
次に、一方の可動部１７を押し込んでいくと、左右一対の可動部１７を連結する連結部１８により左右一対の可動部１７が連動してスムーズに移動する。左右一対の段差調整部材２１の位置決めピン２２は先端部が円錐形状であるため、徐々に円筒部１１および長円筒部１２の中心軸に寄る方向に案内されて、ＬＥＤ表示タイル１ｆの上下位置および左右位置が決定される。
【００６５】
可動部１７が収納位置に位置する状態で、係止板金２４（図４参照）の溝部３０が、コーナージョイント６，７，８，９の筐体上に設けられた受け金具２７に係止することでロック状態となり、ロック機構５４は、ＬＥＤ表示タイル１ｆの前後方向への移動を規制する。すなわち、ＬＥＤ表示タイル１ｆの前後位置が決定される。ここで、ＬＥＤ表示タイル１ｆが収納位置に位置する状態で、円筒部１１および長円筒部１２は位置決めピン２２が挿入されることでＬＥＤ表示タイル１ｆの左右方向および上下方向における浮動状態を規制しながら支持している。
【００６６】
図６と図７に示すように、目地調整機構１３，１４における段差調整部材２１と当接する部分は、磁性材料または磁石を用いて構成されている。より具体的には、円筒部１１および長円筒部１２は磁性材料または磁石を用いて構成されている。そのため、可動部１７が収納位置に位置する状態で、段差調整部材２１と円筒部１１、および段差調整部材２１と長円筒部１２は、段差調整部材２１に内蔵された磁石１９の磁力により吸着される。
【００６７】
次に、図３、図６および図７を用いて、ＬＥＤ表示タイル１ａ〜１ｒの上下位置および左右位置の調整方法について説明する。ここでは、一例としてＬＥＤ表示タイル１ｆの上下位置および左右位置の調整方法について説明する。
【００６８】
図６に示すように、上下位置調整部材３１は、長穴８ｂを介して上下移動板金３１ａの上面のネジ穴に螺合されている。左右位置調整部材３２は、長穴８ｃを介して左右移動板金３２ａの右側面のネジ穴に螺合されている。ここで、長穴８ｂ，８ｃは貫通穴であるため、上下位置調整部材３１，３２の雄ネジ部は長穴８ｂ，８ｃにそれぞれ螺合していない。
【００６９】
また、図７に示すように、上下位置調整部材３１は、長穴９ｂを介して上下移動板金３１ａの上面のネジ穴に螺合されている。ここで、長穴９ｂは貫通穴であるため、上下位置調整部材３１の雄ネジ部は長穴９ｂに螺合していない。
【００７０】
図３、図６および図７に示すように、ＬＥＤ表示タイル１ｆが支持構造体２に装着された状態で、まず、コーナージョイント８に設けられた目地調整機構１３の上下位置調整機構２８の上下位置調整部材３１と左右位置調整機構２９の左右位置調整部材３２を回転させる。
【００７１】
コーナージョイント８の筐体８ａの面を基準に上下移動板金３１ａおよび左右移動板金３２ａがそれぞれ上下方向および左右方向に移動することで、上下移動板金３１ａに固定されている円筒部１１が上下方向および左右方向に移動する。これにより、円筒部１１に挿入されている位置決めピン２２の上下位置および左右位置と、長円筒部１２に挿入されている位置決めピン２２の左右位置が調整される。
【００７２】
次に、コーナージョイント９に設けられた目地調整機構１４の上下位置調整機構２８の上下位置調整部材３１を回転させる。コーナージョイント９の筐体９ａの面を基準に上下移動板金３１ａが上下方向に移動することで、上下移動板金３１ａに固定されている長円筒部１２が上下方向に移動する。これにより、長円筒部１２に挿入されている位置決めピン２２の上下位置が調整される。
【００７３】
上記のように、目地調整機構１３において左右位置の調整を実施した後、目地調整機構１４において上下位置を調整することにより、長円筒部１２に挿入されている位置決めピン２２の上下位置および左右位置を調整することができる。これにより、ＬＥＤ表示タイル１ｆ全体の上下位置、左右位置、および水平面に対する傾きが調整されて、ＬＥＤ表示タイルと隣接する他のＬＥＤ表示タイルとの間の隙間を均一に調整することが可能となる。
【００７４】
次に、支持構造体２に対してＬＥＤ表示タイル１ａ〜１ｒの段差調整方法について説明する。段差調整は前後方向調整であり、ＬＥＤ表示タイル１ａ〜１ｒが支持構造体２に装着された後にＬＥＤ表示タイルの映像表示面と隣接する他のＬＥＤ表示タイルの映像表示面との段差を確認しながら実施される。なお、ＬＥＤ表示タイルの映像表示面とは、ＬＥＤ表示タイルの前面である。
【００７５】
最初に図８を用いて、ＬＥＤ表示タイル１ａ〜１ｒの段差調整方法の概略を説明する。図８は、段差調整方法を説明するための説明図である。
【００７６】
まず、ＬＥＤ表示タイル１ａ〜１ｒを支持構造体２に順次装着していく際、ＬＥＤ表示タイルの映像表示面と隣接する他のＬＥＤ表示タイルの映像表示面との段差を確認した上で、ＬＥＤ表示タイルの背面に装着された段差調整部材２１を回転させる。これにより、ＬＥＤ表示タイルが前後方向に移動することで、ＬＥＤベース５の背面から、段差調整部材２１と当接する当接面である支持構造体２のコーナージョイント６，７，８，９の前面までの前後方向の間隔を調整することができる。
【００７７】
すなわち、ＬＥＤ表示タイルの映像表示面と隣接する他のＬＥＤ表示タイルの映像表示面との段差を解消するよう調整することが可能である。なお、段差調整部材２１と当接する当接面であるコーナージョイント６，７，８，９の前面とは、円筒部１１および長円筒部１２の前端部である。
【００７８】
ＬＥＤ表示タイルの背面側に作業する空間がなく、設置調整時およびメンテナンス時において、映像表示面側からＬＥＤ表示タイルの引き出し作業を必要とする場合がある。次に、図９と図１０を用いて、ＬＥＤ表示タイル１と支持構造体２の固定を映像表示面側から解除する方法について説明する。図９は、ＬＥＤ表示タイル１ａと支持構造体２との固定を示す断面図である。図１０は、ＬＥＤ表示タイル１ａと支持構造体２との固定が解除された状態を示す断面図である。
【００７９】
上記のように、ロック機構５４は、係止部としての上下一対の係止板金２４、一対の連結ワイヤ２５、および回転板金２６を備えている。ロック機構５４はさらに、引付用ばね３５および押付用ばね３６を備えている。
【００８０】
係止板金２４は、引付用ばね３５と押付用ばね３６とともにＬＥＤ表示タイル１ａの背面に固定されている。引付用ばね３５の一端はＬＥＤ表示タイル１ａの背面に固定され、引付用ばね３５の他端は係止板金２４に固定されている。引付用ばね３５は、係止板金２４を受け金具２７と係止する方向に引き付けるばね力を有している。これにより、係止板金２４は、受け金具２７と係止する方向に付勢されている。
【００８１】
また、押付用ばね３６の一端はＬＥＤ表示タイル１ａの背面に固定され、押付用ばね３６の他端は自由端である。押付用ばね３６は、係止板金２４が受け金具２７と係止した状態で押付用ばね３６の他端が受け金具２７の前面に当接し、この状態でＬＥＤ表示タイル１ａを前方に押し付けるばね力を有している。
【００８２】
係止板金２４は、回動軸３３を中心に引付用ばね３５のばね力により矢印Ｃの方向に回動力が作用している。ＬＥＤ表示タイル１ａが支持構造体２に装着された状態において、引付用ばね３５のばね力により係止板金２４は回動軸３３を中心に矢印Ｃの方向に回動し、連結ワイヤ２５を引っ張った状態で静止している。ここで、矢印Ｃの方向とは、係止板金２４が受け金具２７と係止する方向である。
【００８３】
一対の係止板金２４は連結ワイヤ２５を介して回転板金２６に連結されているため、図１０に示すように、回転軸３４を中心として回転板金２６をＬＥＤ表示タイル１ａの映像表示面に平行な面内で矢印Ｅの方向に回転させることで、連結ワイヤ２５を介して一対の係止板金２４が矢印Ｄの方向に回転しロック状態が解除される。ここで、ＬＥＤ表示タイル１ａの映像表示面に平行な面とは、ＬＥＤ表示タイル１ａの背面である。
【００８４】
図９では、マグネット治具３０１は、ＬＥＤ表示タイル１ａの映像表示面から離間する位置にあり、かつ、ＬＥＤ表示タイル１ａが収納位置に位置する状態で、係止板金２４が受け金具２７と係止している。これにより、回転板金２６に対してマグネット治具３０１の磁力が作用せずロック状態となり、ＬＥＤ表示タイル１ａと支持構造体２は固定される。
【００８５】
図１０では、マグネット治具３０１は、ＬＥＤ表示タイル１ａの映像表示面における背面側の回転板金２６に対応する位置にある。マグネット治具３０１は、帯電防止処理を施した低摺動性保護樹脂層３０２、および低摺動性保護樹脂層３０２に対して回転可能なマグネット層３０３を備えている。なお、マグネット層３０３の磁力により回転板金２６を回転させることができればよく、マグネット治具３０１は、ＬＥＤ表示タイル１ａの映像表示面と当接する位置にあってもよいし、ＬＥＤ表示タイル１ａの映像表示面に近接する位置にあってもよい。
【００８６】
ＬＥＤ表示タイル１ａの映像表示面における背面側の回転板金２６に対応する位置に低摺動性保護樹脂層３０２を当接させて磁力により回転板金２６を吸着させた状態で、映像表示面に平行な面内でマグネット層３０３を矢印Ｅの方向に回転させる。磁性材料である鋼板製の回転板金２６は、磁力により回転軸３４を中心に図１０の矢印Ｅの方向に回転し、回転板金２６に連結されている連結ワイヤ２５が引っ張られることで、係止板金２４が矢印Ｄの方向に回動する。ここで、矢印Ｄの方向とは、係止板金２４が受け金具２７と係止する方向とは反対方向である。
【００８７】
これにより、係止板金２４の溝部３０がコーナージョイント７の筐体上に設けられた受け金具２７から外れて、ＬＥＤ表示タイル１ａと支持構造体２とのロック状態が解除され、ＬＥＤ表示タイル１ａと支持構造体２との固定が解除される。ここで、上下一対の係止板金２４は、一対の連結ワイヤ２５を介して回転板金２６に連結されているため、上下一対の受け金具２７との係止が解除される。
【００８８】
このとき、ＬＥＤ表示タイル１ａの背面を構成するＬＥＤベース５は、非磁性材料で構成されているため、マグネット治具３０１を近付けても磁力の影響を受けず、磁性材料である鋼板製の回転板金２６のみが磁力の影響を受ける。
【００８９】
また、マグネット治具３０１をＬＥＤ表示タイル１ａから離間させるか、または吸着状態のままマグネット層３０３を矢印Ｆの方向に回転することで、回転板金２６が回転軸３４を中心に矢印Ｆの方向に回転する。回転板金２６に連結されている連結ワイヤ２５が緩んで、係止板金２４が矢印Ｃの方向に回動する。コーナージョイント７の筐体上に設けられた受け金具２７が係止板金２４の溝部３０に嵌り、かつ、押付用ばね３６のばね力により、受け金具２７は、係止板金２４の溝部３０の後方側に押し付けられる。これにより、ＬＥＤ表示タイル１ａと支持構造体２がロック状態となる。ここで、上下一対の係止板金２４は、一対の連結ワイヤ２５を介して回転板金２６に連結されているため、上下一対の受け金具２７に係止される。
【００９０】
また、図９に示すように、ＬＥＤ表示タイル１ａが支持構造体２に固定されている状態で、ＬＥＤ表示タイル１ａの映像表示面における背面側の段差調整部材２１に対応する位置にマグネット治具３０１を当接させて磁力により吸着させる。段差調整部材２１を直接回転させなくても、映像表示面に平行な面内でマグネット層３０３を回転させることで、磁石１９（図４参照）を内蔵する段差調整部材２１を磁力により回転させることができる。これにより、ＬＥＤベース５の背面からコーナージョイント７の前面までの前後方向の間隔を調整することができる。
【００９１】
なお、マグネット層３０３の磁力により段差調整部材２１を回転させることができればよく、マグネット治具３０１は、ＬＥＤ表示タイル１ａの映像表示面と当接する位置にあってもよいし、ＬＥＤ表示タイル１ａの映像表示面に近接する位置にあってもよい。
【００９２】
ＬＥＤ表示タイル１ａと隣接する他のＬＥＤ表示タイルが引き出されていない箇所においても、ＬＥＤ表示タイル１ａの映像表示面と隣接する他のＬＥＤ表示タイルの映像表示面との段差をなくすために、ＬＥＤ表示タイルの４つの角部の前後方向の位置を調整することが可能となっている。
【００９３】
次に、実施の形態の変形例について説明する。図１１は、実施の形態の変形例に係るＬＥＤ表示タイル１ａの背面斜視図である。
【００９４】
図１１に示すように、実施の形態の変形例では、図４に示した上下一対の係止板金２４の代わりに上下一対の係止板金３７が設けられ、連結ワイヤ２５の代わりに連結棒３８が設けられ、回転板金２６の代わりに回転板金３９が設けられている。
【００９５】
ＬＥＤ表示タイル１ａの背面にはロック機構５４の代わりにロック機構５４Ａが設けられている。ロック機構５４Ａは、係止部としての上下一対の係止板金３７、一対の連結棒３８、回転板金３９、および巻付用ばね（図示省略）を備えている。
【００９６】
一対の係止板金３７、一対の連結棒３８、および回転板金３９の配置位置は、図４に示した一対の係止板金２４、連結ワイヤ２５、および回転板金２６の配置位置と同じであるため説明を省略する。
【００９７】
ＬＥＤベース５の背面における一対の係止板金３７が設けられる位置に、上下方向に延びる長穴３７ａが設けられている。一対の係止板金３７は、前面から前方に突出する突起部（図示省略）を備え、突起部が長穴３７ａに挿入された状態でＬＥＤベース５の背面に取り付けられている。そのため、一対の係止板金３７は、長穴３７ａに沿って上下方向にスライド可能である。一対の係止板金３７は、受け金具２７と係止可能な溝３７ｃと、受け金具２７の先端部と当接し溝３７ｃに案内する斜面部３７ｂとを備えている。
【００９８】
一対の連結棒３８は、一対の係止板金３７に一端がそれぞれ連結されている。回転板金３９は、一対の連結棒３８の他端が連結されかつ回転軸（図示省略）を中心に回転可能である。巻付用ばねは、回転軸に巻き付けられており、回転板金３９を初期位置に復帰させる方向にばね力を有している。
【００９９】
次に、ＬＥＤ表示タイル１ａと支持構造体２の固定を映像表示面側から解除する方法について説明する。
【０１００】
引出機構５１の収納動作時に、支持構造体２のコーナージョイント６，７，８，９に設けられた受け金具２７の先端が係止板金３７の斜面部３７ｂに当接し斜面部３７ｂに沿って移動する。そのため、巻付用ばねのばね力に反して係止板金３７が押し込まれて回動し、受け金具２７の先端部が溝部３７ｃに嵌ったとき、係止板金３７と受け金具２７が巻付用ばねのばね力により係止されて、ロック機構５４Ａがロック状態となる。
【０１０１】
また、図３の場合と同様に、マグネット治具３０１をＬＥＤ表示タイル１ａの映像表示面に当接させた状態で、マグネット治具３０１の磁力により回転板金３９を図１１の点線の矢印方向に回転させる。一対の連結棒３８を介して一対の係止板金３７が一対の受け金具２７とそれぞれ係止する方向とは反対方向にスライドし、ロック状態が解除され、ＬＥＤ表示タイル１ａと支持構造体２との固定が解除される。
【０１０２】
または、マグネット治具３０１の磁力により回転板金３９を図１１の実線の矢印方向に回転させる。一対の連結棒３８を介して一対の係止板金３７が一対の受け金具２７とそれぞれ係止する方向にスライドし、ロック状態となり、ＬＥＤ表示タイル１ａと支持構造体２が固定される。
【０１０３】
以上の構成により、ＬＥＤ表示タイル１ａ〜１ｒの背面側の設置環境条件に左右されることなく、設置時およびメンテナンス時に、映像表示面側および背面側の両方向からＬＥＤ表示タイル１ａ〜１ｒと支持構造体２との固定を容易に解除することが可能である。また、ＬＥＤ表示タイル１ａ〜１ｒを押し込んだ状態で映像表示面側からマグネット治具３０１を遠ざけると、係止板金２４、または、係止板金３７はばね力により、ＬＥＤ表示タイル１ａ〜１ｒと支持構造体２との係止状態を容易に復帰させることも可能である。また、ＬＥＤ表示タイル１ａ〜１ｒにおいて、背面側にメンテナンススペースを必要としないため、省スペース化を図ることができる。
【０１０４】
また、マグネット治具３０１により、ＬＥＤ表示タイル１ａ〜１ｒと支持構造体２との固定を解除した後、マグネット治具３０１を手前にゆっくり引くことで、引出機構５１によりＬＥＤ表示タイル１ａ〜１ｒは映像表示面側へ移動することが可能である。引出機構５１により引き出し位置から収納位置へ戻すときに精度よく引き出し前の位置に戻すことが可能である。上下方向、左右方向および前後方向の位置を調整された円筒部１１と長円筒部１２に位置決めピン２２の先端から案内されることで、調整された位置へ精度よく復帰させることが可能である。
【０１０５】
なお、実施の形態では、１８面構成のマルチディスプレイシステム１００を例として説明したが  さらに多数のＬＥＤ表示タイルを備えるマルチディスプレイシステムの場合にも、これと同様の組立調整を行うことが可能である。マルチディスプレイシステムが大型であっても、これと同様の調整手順で映像表示面の目地を微細に調整できるため、ＬＥＤ表示タイル間の目地が目立ちにくく、一体感のある映像を提供することが可能となる。
【０１０６】
以上のように、実施の形態に係るマルチディスプレイシステム１００では、ロック機構５４がロック状態であるとき、各ＬＥＤ表示タイル１ａ〜１ｒが収納位置に固定され、ロック機構５４がロック解除状態であるとき、引出機構５１により各ＬＥＤ表示タイル１ａ〜１ｒが弾性支持部１６を介して浮動支持された状態で収納位置と引き出し位置との間で移動可能となる。
【０１０７】
したがって、使用者は、各ＬＥＤ表示タイル１ａ〜１ｒが固定位置に位置する状態だけでなく、引出機構５１により各ＬＥＤ表示タイル１ａ〜１ｒを引き出し位置に移動させた状態で位置調整機構５０にアクセスすることができるため、各ＬＥＤ表示タイル１ａ〜１ｒの映像表示面側および背面側のどちらからでも位置調整機構５０にアクセスすることができる。これにより、ＬＥＤ表示タイル１ａ〜１ｒの背面側に作業空間がない場合でも、ＬＥＤ表示タイルと隣接する他のＬＥＤ表示タイルとの間の目地を目立たなくするための調整を映像表示面側から行うことができる。
【０１０８】
引出機構５１は、支持構造体２に固定されたガイド部１５と、ガイド部１５に沿って移動可能な可動部１７と、弾性支持部１６とを有しているため、引出機構５１を簡単な構成で実現できる。
【０１０９】
また、各ＬＥＤ表示タイル１ａ〜１ｒが引き出し位置に位置する状態で、可動部１７は弾性支持部１６を介して各ＬＥＤ表示タイル１ａ〜１ｒを浮動支持し、各ＬＥＤ表示タイル１ａ〜１ｒが収納位置に位置する状態で、円筒部１１および長円筒部１２は位置決めピン２２が挿入されることで各ＬＥＤ表示タイル１ａ〜１ｒの左右方向および上下方向における浮動状態を規制しながら支持し、ロック機構５４は、係止板金２４が受け金具２７に係止することで各ＬＥＤ表示タイル１ａ〜１ｒの前後方向への移動を規制する。したがって、ＬＥＤ表示タイル１ａ〜１ｒに対して引き出し作業を行った後、調整された位置へ精度よく復帰させて、ＬＥＤ表示タイル１ａ〜１ｒと支持構造体２とを固定することができる。
【０１１０】
マグネット治具３０１が各ＬＥＤ表示タイル１ａ〜１ｒの映像表示面から離間する位置に配置され、かつ、各ＬＥＤ表示タイル１ａ〜１ｒが収納位置に位置する状態で、一対の係止板金２４が一対の受け金具２７とそれぞれ係止することで、各ＬＥＤ表示タイル１ａ〜１ｒと支持構造体２は固定され、マグネット治具３０１が各ＬＥＤ表示タイル１ａ〜１ｒの映像表示面に近接する位置に配置され、かつ、マグネット治具３０１の磁力により回転板金２６を一の方向に回転させることで、一対の連結ワイヤ２５を介して一対の係止板金２４が一対の受け金具２７とそれぞれ係止する方向とは反対方向に回動し、各ＬＥＤ表示タイル１ａ〜１ｒと支持構造体２との固定が解除される。
【０１１１】
したがって、映像表示面側からＬＥＤ表示タイル１ａ〜１ｒと支持構造体２との固定と固定解除とを容易に行うことができる。
【０１１２】
ロック機構５４は、引付用ばね３５および押付用ばね３６をさらに有し、一対の係止板金２４は、引付用ばね３５と押付用ばね３６とともに各ＬＥＤ表示タイル１ａ〜１ｒの背面に固定され、引付用ばね３５は、一対の係止板金２４を一対の受け金具２７とそれぞれ係止する方向に引き付けるばね力を有し、押付用ばね３６は、一対の係止板金２４が一対の受け金具２７とそれぞれ係止した状態で各ＬＥＤ表示タイル１ａ〜１ｒを前方に押し付けるばね力を有する。したがって、ロック機構５４を容易にロック状態にして、ＬＥＤ表示タイル１ａ〜１ｒと支持構造体２とを固定することができる。
【０１１３】
実施の形態の変形例では、マグネット治具３０１が各ＬＥＤ表示タイル１ａ〜１ｒの映像表示面から離間する位置に配置され、かつ、各ＬＥＤ表示タイル１ａ〜１ｒが収納位置に位置する状態で、一対の係止板金３７が一対の受け金具２７とそれぞれ係止することで、各ＬＥＤ表示タイル１ａ〜１ｒと支持構造体２は固定され、マグネット治具３０１が各ＬＥＤ表示タイル１ａ〜１ｒの映像表示面に近接する位置に配置され、かつ、マグネット治具３０１の磁力により回転板金３９を一の方向に回転させることで、一対の連結棒３８を介して一対の係止板金３７が一対の受け金具２７とそれぞれ係止する方向とは反対方向にスライドし、各ＬＥＤ表示タイル１ａ〜１ｒと支持構造体２との固定が解除される。
【０１１４】
したがって、映像表示面側からＬＥＤ表示タイル１ａ〜１ｒと支持構造体２との固定と固定解除とを容易に行うことができる。
【０１１５】
ロック機構５４Ａは、回転軸に巻き付けられた巻付用ばねをさらに有し、巻付用ばねは、回転板金３９を、一対の係止板金３７が一対の受け金具２７とそれぞれ係止する方向にばね力を有し、引出機構５１が収納位置に位置する状態で、巻付用ばねは、一対の係止板金３７が一対の受け金具２７とそれぞれ係止する方向に一対の係止板金３７をスライドさせる。
【０１１６】
したがって、ロック機構５４Ａを容易にロック状態にして、ＬＥＤ表示タイル１ａ〜１ｒと支持構造体２とを固定することができる。
【０１１７】
段差調整機構５３は、円板形状の段差調整部材２１と、段差調整部材２１内に設けられた磁石１９とを有し、段差調整部材２１の中心軸上に背面から突出する位置決めピン２２が配置され、目地調整機構１３，１４における段差調整部材２１と当接する部分は、磁性材料または磁石を用いて構成された。したがって、段差調整部材２１と目地調整機構１３，１４における段差調整部材２１と当接する部分は、段差調整部材２１に内蔵された磁石１９により吸着されるため、段差調整時に、支持構造体２からＬＥＤ表示タイル１ａ〜１ｒが外れることを抑制できる。
【０１１８】
この発明は詳細に説明されたが、上記した説明は、すべての局面において、例示であって、この発明がそれに限定されるものではない。例示されていない無数の変形例が、この発明の範囲から外れることなく想定され得るものと解される。
【０１１９】
なお、本発明は、その発明の範囲内において、各実施の形態を自由に組み合わせたり、各実施の形態を適宜、変形、省略することが可能である。
【符号の説明】
【０１２０】
１ａ〜１ｒ  ＬＥＤ表示タイル、２  支持構造体、８ａ，９ａ  筐体、１１  円筒部、１１ａ  穴部、１２  長円筒部、１２ａ  穴部、１３，１４  目地調整機構、１５  ガイド部、１６  弾性支持部、１７  可動部、１９  磁石、２１  段差調整部材、２２  位置決めピン、２４  係止板金、２５  連結ワイヤ、２６  回転板金、２７  受け金具、３３  回動軸、３４  回転軸、３５  引付用ばね、３６  押付用ばね、３７  係止板金、３８  連結棒、３９  回転板金、５０  位置調整機構、５１  引出機構、５３  段差調整機構、５４，５４Ａ  ロック機構、１００  マルチディスプレイシステム、３０１  マグネット治具。
【図１】
0006707191.tif 000002
【図２】
0006707191.tif 000003
【図３】
0006707191.tif 000004
【図４】
0006707191.tif 000005
【図５】
0006707191.tif 000006
【図６】
0006707191.tif 000007
【図７】
0006707191.tif 000008
【図８】
0006707191.tif 000009
【図９】
0006707191.tif 000010
【図１０】
0006707191.tif 000011
【図１１】
0006707191.tif 000012